(57)【要約】【課題】回路基板と端子間における接続信頼性が高い移動物体検出装置を提供する。【解決手段】移動物体検出装置１は、磁気検出素子３０を実装する回路基板２０と、一端側が回路基板２０に接続され、他端側が外部接続用に露出する端子４０と、回路基板２０を収納する基板収納部１２と端子４０の他端側を有するコネクタ部１１とを設けたハウジング１０と、を備える移動物体検出装置であって、端子４０は、コネクタ部１１によって外部接続するための組み付け方向に対して複数箇所にて屈曲する第一の屈曲部４１と、第一の屈曲部４１間において、この第一の屈曲部４１の屈曲方向と異なる向きに屈曲する第二の屈曲部４２とが形成される。【選択図】図３
2017129504.tif 000002
【特許請求の範囲】
【請求項１】
磁気検出素子を実装する回路基板と、
一端側が前記回路基板に接続され、他端側が外部接続用に露出する端子と、
前記回路基板を収納する基板収納部と前記端子の前記他端側を有するコネクタ部とを設けたハウジングと、を備える移動物体検出装置において、
前記端子は、前記コネクタ部によって外部接続するための組み付け方向に対して屈曲した複数の第一の屈曲部と、前記第一の屈曲部間において、この第一の屈曲部の屈曲方向と異なる向きに屈曲する第二の屈曲部とが形成されることを特徴とする移動物体検出装置。
【請求項２】
前記第一，第二の屈曲部は、前記ハウジングによって固定されることを特徴とする請求項１に記載の移動物体検出装置。
【発明の詳細な説明】
【技術分野】
【０００１】
本発明は、移動物体検出装置に関するものである。
【背景技術】
【０００２】
移動物体検出装置として、例えば、特許文献１に開示されるものがある。
【０００３】
特許文献１に示されるような、移動物体検出装置は、センサを実装する回路基板を収納する収納室と、この回路基板から外部引出し用のコネクタ部へ配線する端子とが樹脂によって一体的にモールド成形されたハウジングを備えるものである。
【先行技術文献】
【特許文献】
【０００４】
【特許文献１】特開平１１−３２５９６１号公報（図１）
【発明の概要】
【発明が解決しようとする課題】
【０００５】
しかしながら、これら移動物体検出装置を対象機器に実装し、コネクタ接続する際に、少なくとも前記端子に応力が加わるため、この応力の大きさによっては、前記端子の他端側と回路基板との接続に不具合、例えば、半田クラックが生じてしまう虞があった。
特に、コネクタ接続する際の挿入方向が回路基板側を向く場合には、該応力が前記端子を介して回路基板との接続箇所に伝わり易いため課題となっていた。
【０００６】
本発明は、上記問題点に鑑みてなされたものであり、回路基板と端子間における接続信頼性が高い移動物体検出装置を提供することを目的とする。
【課題を解決するための手段】
【０００７】
磁気検出素子３０を実装する回路基板２０と、一端側が回路基板２０に接続され、他端側が外部接続用に露出する端子４０と、回路基板２０を収納する基板収納部１２と端子４０の他端側を有するコネクタ部１１とを設けたハウジング１０と、を備える移動物体検出装置において、端子４０は、コネクタ部１１によって外部接続するための組み付け方向に対して複数箇所にて屈曲する第一の屈曲部４１と、第一の屈曲部４１間において、この第一の屈曲部４１の屈曲方向と異なる向きに屈曲する第二の屈曲部４２とが形成されることを特徴とする。
【０００８】
第一，第二の屈曲部４１，４２は、ハウジング１０によって固定されることを特徴とする。
【発明の効果】
【０００９】
本発明によれば、回路基板と端子間における接続信頼性が高い移動物体検出装置を提供できる。
【図面の簡単な説明】
【００１０】
【図１】（ａ）移動物体検出装置と被検出体に取り付けられた磁石の全体図、（ｂ）（ａ）のＶ１方向から見た全体図である。
【図２】移動物体検出装置を図１（ａ）のＶ２方向から見た図である。
【図３】図２のＡ−Ａ断面図である。
【図４】（ａ）端子部材の斜視図、（ｂ）同端子部材の三面図である。
【発明を実施するための形態】
【００１１】
以下に、本発明の一実施形態を添付図面に基づいて説明する。
【００１２】
本発明による移動物体検出装置１は、例えば建設機械（以下、実機と呼称する）用のストロークセンサであり、ハウジング１０と、回路基板２０と、磁気検出素子３０と、端子４０とから主に構成される。
【００１３】
ハウジング１０は、熱可塑性樹脂等からなり、実機と接続されるコネクタ部１１と、回路基板２０を収納する基板収納部１２とを備えている。
【００１４】
コネクタ部１１は、図示しない実機と接続されるものであり、回路基板２０と電気的に接続される端子４０が引き出し形成されている。また、コネクタ部１１の実機への接続方向（挿入方向）Ｘ１は、基板収納部１２に収納される回路基板２０に対し直交する方向で形成され、この場合、回路基板２０面に重なる位置に設けられる。
【００１５】
基板収納部１２は、磁気検出素子３０が載置された回路基板２０を収納するための空間であり、回路基板２０を収納後、エポキシ等の熱硬化型樹脂が充填される、または樹脂製のカバーが取り付けられた後、封止される。
【００１６】
端子４０は、導電性金属を適用でき、一端側が回路基板２０に半田接続され、他端側が外部接続端子としてコネクタ部１１に露出するように設けられる。端子４０は、プレス成形や切削加工により形成でき、更に、インサート成形によって、実機組み付け用のボルトが挿通されるカラーＣとともにハウジング１０と一体的に設けられる。
端子４０は、コネクタ部１１と回路基板２０との間に、回路基板２０側から順に基板挿入部４３、第一の屈曲部４１、中間部４４、第一の屈曲部４１、コネクタ端子部４５を備え、中間部４４はさらに第二の屈曲部４２を備えている。
【００１７】
第一の屈曲部４１は、回路基板２０面に垂直方向、またはコネクタ部１１の挿入方向Ｘ１（脱着方向Ｘ）に配線される端子４０が、回路基板２０に対して平行となるように屈曲されてなる。この場合、第一の屈曲部４１は、略垂直な屈曲形状であり、二箇所形成される。したがって、実機に対してコネクタ部１１が取り付けまたは取り外される際に発生する応力は、端子４０が回路基板２０に半田付けされている箇所に伝わりにくくなる。
【００１８】
第二の屈曲部４２は、中間部４４に形成され、第一の屈曲部４１の屈曲方向と異なる向きに屈曲している。本実施形態では、第二の屈曲部４２は、回路基板２０面に平行なクランク形状に屈曲しており、二箇所形成されている。基板挿入部４３と中間部４４、あるいは、コネクタ端子部４５と中間部４４でなす第一の屈曲部４１の屈曲方向と、第二の屈曲部４２の屈曲方向は、異なっている。このような構成にすることによって、実機に対してコネクタ部１１が取り付けまたは取り外される際に発生する応力は、第一の屈曲部４１だけを設けた場合と比較して、更に伝わりにくくなる。
【００１９】
これら、第一，第二の屈曲部４１，４２は、ハウジング１０のインサート成形によって、コネクタ部１１と基板収納部１２とを区切るハウジング１０の壁部１３内に固定されて設けられる。このため、端子４０は、中間部４４で強固に保持されるため、コネクタ部１１から端子４０に伝わる応力が回路基板２０側へ届きにくい。また、第二の屈曲部４２を、基板挿入部４３、コネクタ端子部４５より太く形成することによって、コネクタ部１１の接続方向Ｘ１（脱着方向Ｘ）に対して強固に固定できるため、更に応力が伝わりにくくなる。
【００２０】
また、第二の屈曲部４２を形成されることによって、コネクタ部１１内の端子４０間のピッチと異なる間隔で、回路基板２０と接続できるように設計できる。この場合、コネクタ部１１内の端子４０間のピッチよりも大きな間隔で、回路基板２０と半田接続することができ、半田と回路基板２０との接続面積を広く確保して接続強度を高めることができる。このため、特に、コネクタ部１１の接続方向Ｘ１（脱着方向Ｘ）の応力が該壁部で留まり、端子４０の端部間で伝わりにくい。
【００２１】
磁気検出素子３０は、ホールＩＣからなり、実機を介して電気的に接続される被検出体に設けられた磁石の移動に伴う磁界の変化を検出し、電気信号に変換し、出力する。
【００２２】
回路基板２０は、所定の配線パターンが形成されており、磁気検出素子３０や図示しないコンデンサ等の電子部品が実装されている。また、回路基板２０には端子４０の一端が裏側から挿通され、回路基板２０に設けられたランドＬと半田Ｓによって電気的に接続されている。端子４０の他端は、上述の通りコネクタ部１１に突出している。
【００２３】
このような構成にすることによって、コネクタ部１１と基板収納部１２を直線状に配置しても、実機との接続や取り外しの際に回路基板２０と端子４０の半田クラックが生じにくくなる。したがって、回路基板と端子間における接続信頼性が高い移動物体検出装置とすることができる。また、移動物体検出装置１の磁気検出素子３０、回路基板２０、コネクタ部１１を直線状に設け、更にコネクタの挿入方向から見た表面積を小さくできる。さらに、移動物体検出装置１のボルトを用いた組み付け作業において、移動物体検出装置１の組み付け方向と、車両側配線と接続する際のコネクタ部１１への挿入方向とが同じ向きになるように、該ボルトが挿通されるカラーＣやコネクタ部１１を設けることで、作業スペースを小さくできる。また、車両側配線の引き回し方向の自由度が高くなる。
【００２４】
本発明は、上記実施形態に限定するものではなく、種々の変形が可能である。例えば、本発明の実施形態では、建設機械用のストロークセンサとしたが、車両、船舶等に用いるセンサであっても良い。
【００２５】
本実施形態の図２では３端子の場合を例示したが、端子の数は任意である。
【００２６】
本発明による端子の正面図を図４（ｂ）に図示したが、第一の屈曲部は逆方向に屈曲していても良く、またコネクタ部から露出する複数の端子のハウジング内での第一の屈曲部の屈曲方向は同一でなくても良い。
【産業上の利用可能性】
【００２７】
本発明の移動物体検出装置は、建設機械用のストロークセンサに好適である。
【符号の説明】
【００２８】
１    移動物体検出装置
１０    ハウジング
１１    コネクタ部
１２    基板収納部
１３    壁部
２０    回路基板
３０    磁気検出素子
４０    端子
４１    第一の屈曲部
４２    第二の屈曲部
４３    基板挿入部
４４    中間部
４５    コネクタ端子部
Ｃ      カラー
Ｌ      ランド
Ｓ      半田
ＭＧ    磁石
Ｘ      脱着方向
Ｘ１    接続方向
【図１】
2017129504.tif 000003
【図２】
2017129504.tif 000004
【図３】
2017129504.tif 000005
【図４】
2017129504.tif 000006